(57)【特許請求の範囲】
【請求項１】
内部を被冷却物の収納室とした冷却庫本体の一側壁側には、金属板からなるダクトパネルが張られることで冷却器室が形成され、この冷却器室内に冷却器が配されて、前記ダクトパネルにおける前記冷却器の正面に吸込口が形成されているとともに、同ダクトパネルにおける前記吸込口の形成領域から上下に外れた領域に庫内ファンが設けられ、前記吸込口を通して吸引された庫内空気が前記冷却器を通過する間に冷気が生成され、この冷気が前記庫内ファンにより前記収納室に吹き出されるようになっており、
前記ダクトパネルにおける前記吸込口の形成領域よりも下方位置には、前記収納室側に段差状に張り出した張出部が形成されて、同張出部の上面が前記吸込口の形成領域付近の表面からの除霜水を受ける受け面とされ、かつ同受け面には排水孔が開口されているとともに、
前記冷却器室内における前記受け面よりも下方位置には、前記冷却器からの除霜水を受けて排水するドレンシュータが配されて、同ドレンシュータにおける前記ダクトパネル側の金属板からなる側板が、前記受け面直下の位置において前記張出部の裏面に密着するように固定され、かつ前記ドレンシュータの外底面にはヒータが設けられ、除霜時には前記ヒータが発熱されるようになっていることを特徴とする冷却庫。
【請求項２】
前記冷却器室内の下部領域に冷却器が配されている一方、前記ダクトパネルの上部領域に庫内ファンが設けられていることを特徴とする請求項１記載の冷却庫。
【請求項３】
前記排水孔は、前記受け面における前記ダクトパネルの表面に繋がる基端縁まで開口した形態で形成されていることを特徴とする請求項１または請求項２記載の冷却庫。
【請求項４】
前記排水孔は、仕切部で仕切られつつ前記受け面の横幅方向に沿って複数に分割されて配設されており、前記受け面における前記各仕切部から内側に入った位置ごとに、補助排水孔が開口されていることを特徴とする請求項３記載の冷却庫。
【発明の詳細な説明】
【技術分野】
【０００１】
本発明は、蓄冷剤凍結庫等の冷却庫に関する。
【背景技術】
【０００２】
従来、蓄冷剤凍結庫の一例として、特許文献１に記載されたものが知られている。このものは、内部を蓄冷剤の収納室とした凍結庫本体の一側壁側に、ダクトパネルが張られることで冷却器室が形成され、この冷却器室内の中央高さ位置に冷却器が配されて、ダクトパネルにおける冷却器の正面に吸込口が形成されているとともに、同ダクトパネルにおける吸込口の形成領域の上下両側に庫内ファンが設けられた構造であって、吸込口を通して吸引された庫内空気が冷却器を通過する間に冷気が生成され、この冷気が上下の庫内ファンにより収納室に吹き出されるといった循環流が生じ、収納室内に収納された蓄冷剤が凍結されるようになっている。  
また適宜に除霜運転が行われ、冷却器に装備された除霜ヒータにより冷却器を加熱して着霜を融かし、除霜水を冷却器の下方に配されたドレンパンで受けて庫外に排出するようになっている。
【０００３】
ここでこの種の凍結庫では、庫内が「−４０℃」程度といった極低温に冷却され、庫内の一壁面を構成するダクトパネルも相応に低温となっているため、例えば冷却運転中に扉が開閉されて庫外空気が導入されると、冷却器に着霜することに加えて、ダクトパネルにおける吸込口の形成領域付近の表面にも着霜しやすいという事情がある。  
そこで、吸込口の形成領域付近の表面における除霜構造として、ダクトパネルにおける吸込口の形成領域の下方位置に水平方向の排水溝を形成するとともに、同排水溝を内外に貫通する受け板を備えて内側の端縁をドレンパンに臨ませた構造とされ、除霜運転時には、除霜ヒータの発熱に伴い吸込口の形成領域の裏面側が加熱されることで、表面側に着霜があった場合にはこれが融かされ、除霜水がダクトパネルの表面を伝って受け板に達して受けられたのち、その内側の端縁からドレンパンに滴下されるようになっている。
【先行技術文献】
【特許文献】
【０００４】
【特許文献１】特開２００４−１１９３１号公報
【発明の概要】
【発明が解決しようとする課題】
【０００５】
ところで、吸込口の形成領域付近の表面の除霜が行われる際、着霜量が多い場合等には霜が塊となって落下することがあるが、上記従来のものでは受け板に落下した霜の塊が排水溝に詰まり、受け板から零れて庫内の底面に落下したり、受け板上で氷塊が成長する等の事態を招くおそれがあり、さらなる改良が切望されていた。  
本発明は上記のような事情に基づいて完成されたものであって、その目的は、ダクトパネルにおける吸込口の形成領域付近から除去された霜を、確実にドレンシュータに導くことができるようにするところにある。
【課題を解決するための手段】
【０００６】
本発明の冷却庫は、内部を被冷却物の収納室とした冷却庫本体の一側壁側には、ダクトパネルが張られることで冷却器室が形成され、この冷却器室内に冷却器が配されて、前記ダクトパネルにおける前記冷却器の正面に吸込口が形成されているとともに、同ダクトパネルにおける前記吸込口の形成領域から上下に外れた領域に庫内ファンが設けられ、前記吸込口を通して吸引された庫内空気が前記冷却器を通過する間に冷気が生成され、この冷気が前記庫内ファンにより前記収納室に吹き出されるようになっており、前記ダクトパネルにおける前記吸込口の形成領域よりも下方位置には、前記収納室側に段差状に張り出した張出部が形成されて、同張出部の上面が前記吸込口の形成領域付近の表面からの除霜水を受ける受け面とされ、かつ同受け面には排水孔が開口されているとともに、前記冷却器室内における前記受け面よりも下方位置には、前記冷却器からの除霜水を受けて排水するドレンシュータが配されて、同ドレンシュータにおける前記ダクトパネル側の側板が前記張出部の裏面に接触され、かつ前記ドレンシュータの外底面にはヒータが設けられ、除霜時には前記ヒータが発熱されるようになっているところに特徴を有する。
【０００７】
冷却運転時には冷却器に着霜することに加えて、ダクトパネルにおける吸込口の形成領域付近の表面にも着霜しやすい。除霜は冷却器が加熱されることで行われ、冷却器からの除霜水はドレンシュータで受けられる。このときドレンシュータのヒータが併せて発熱されることで、ドレンシュータに霜の塊が落下した場合に速やかにこれが融かされ、同ドレンシュータの排水部等が詰まることが防止される。  
また上記の除霜時には、ダクトパネルにおける吸込口の形成領域の裏面側が加熱されることで、表面側に着霜があった場合にはこれが融かされ、除霜水がダクトパネルの表面を伝って受け面に達したのち、同受け面の排水孔を通ってドレンシュータに滴下して受けられる。このとき、吸込口の形成領域付近の着霜量が多いと、霜の塊が受け面に落下する可能性があるが、ドレンシュータの側板が張出部の裏面に接触していることから、ヒータの熱が伝導して受け面が加熱され、同受け面に落下した霜の塊も速やかに融かされて排水孔に詰まることなくドレンシュータ内に滴下する。  
結果、受け面から霜の塊が零れて庫内底面を汚したり、受け面上で氷塊が成長する等の事態が生じることが未然に防止される。
【０００８】
また、以下のような構成としてもよい。  
（１）前記冷却器室内の下部領域に冷却器が配されている一方、前記ダクトパネルの上部領域に庫内ファンが設けられている。  
例えば、冷却器室内の中央高さ位置に冷却器が配されて、ダクトパネルにおける冷却器の正面に吸込口が形成されている一方、ダクトパネルにおける吸込口の形成領域の下方領域に庫内ファンが設けられた場合において、冷却器からの除霜水を溜めて庫外へ排水するドレンシュータを、その機能からして、冷却器室の底部側に設けることがある。その場合、ドレンシュータに設けたヒータの熱の伝導性を考慮すると、受け面は、ドレンシュータの直上、すなわち庫内ファンの配設領域の下方に形成する必要がある。このようにすると、ダクトパネルにおける吸込口の形成領域から受け面までの間に庫内ファンの配設領域が介在されることになる。言い換えると、除霜時において、吸込口の形成領域の表面の着霜が融かされると、除霜水が庫内ファンの配設領域の表面を伝って受け面に達することになるが、庫内ファンの配設領域も相応に距離があり、なおかつ冷却状態にあるため、除霜水が同領域を流下する間に氷結し、次第に成長するおそれがある。そのため、庫内ファンの配設領域の裏面側に、氷結防止用にさらに別のヒータを設ける必要が生じる。
【０００９】
それに対して本構成では、冷却器が冷却器室内の下部領域に配され、ダクトパネルにおける吸込口の下方位置には庫内ファンが配設されない構成となっている。そのため受け面は、吸込口の形成領域の比較的近い下方位置に配されることになり、吸込口の形成領域からの除霜水は、途中で氷結することなく受け面まで伝わることが可能となり、したがって氷結防止用のヒータを別途備えることが不要にできる。
【００１０】
（２）前記排水孔は、前記受け面における前記ダクトパネルの表面に繋がる基端縁まで開口した形態で形成されている。  
例えば、排水孔のダクトパネル側の開口縁が、受け面における基端縁よりも内に入った位置に留まっていると、除霜水の一部が受け面の残った箇所に溜まり、氷結するおそれがある。それに対して本構成では、排水孔のダクトパネル側の開口縁がダクトパネルの表面に達する形態で形成されているから、ダクトパネルの表面を伝う除霜水は受け面側に回り込むことなくその下縁からドレンシュータに滴下し、除霜水が受け面上に溜まることが回避される。
【００１１】
（３）前記排水孔は、仕切部で仕切られつつ前記受け面の横幅方向に沿って複数に分割されて配設されており、前記受け面における前記各仕切部から内側に入った位置ごとに、補助排水孔が開口されている。  
仕切部に残ろうとした除霜水は、その内側に入った位置に開口された補助排水孔を通ってドレンシュータに滴下する。
【発明の効果】
【００１２】
本発明によれば、受け面上に仮に霜の塊が落下しても速やかに融かされて排水孔に詰まることなくドレンシュータ内に滴下させることができ、もって受け面から霜の塊が零れて庫内底面を汚したり、受け面上で氷塊が成長する等の事態が生じることを未然に防止できる。
【図面の簡単な説明】
【００１３】
【図１】本発明の実施形態１に係る蓄冷剤凍結庫の開扉状態の斜視図
【図２】蓄冷剤凍結庫の一部切欠正面図
【図３】その側面から見た断面図
【図４】蓄冷剤を収容したコンテナの概略平面図
【図５】ダクトパネルからの除霜水の受け面の形成部分を示す斜視図
【図６】ドレンシュータの配設構造を示す部分断面図
【図７】除霜水の排水経路を示す部分正面図
【図８】その拡大断面図
【図９】実施形態２に係る除霜水の排水経路の拡大断面図
【発明を実施するための形態】
【００１４】
＜実施形態１＞
本発明の実施形態１を図１ないし図８によって説明する。この実施形態では、蓄冷剤凍結庫を例示している。  
図１ないし図３において、符号１０は、前面開口の縦長の断熱箱体からなる凍結庫本体であって、底面の四隅に設けられた脚１１で支持されているとともに、前面開口部１２には断熱扉１３が揺動開閉可能に支持されている。  
本体１０内には、図２に示すように、正面から見た右側面に寄った位置に、ステンレス鋼板等の金属板からなるダクトパネル１５が縦向きに張られており、ダクトパネル１５を挟んだ左側の約３／４の領域が収納室１６とされ、右側の残りの領域が冷却器室１７とされている。冷却器室１７の手前側の開口は、前面板１８で閉鎖されている。
【００１５】
収納室１６には、奥面の左右両端部と、左右の側面（右側面はダクトパネル１５）の手前側の端部との都合４箇所に棚柱２１が取り付けられ、４枚の棚網２０が、それぞれの四隅を各棚柱２１に装着された棚受金２２で受けられることにより、上下方向に一定間隔を開けて配されており、各棚網２０の上方に、蓄冷剤２５を収納する収納スペース２３が４段に亘って形成されている。各収納スペース２３はほぼ同じ高さを有し、収納室１６内の高さ領域をほぼ４等分するようにして設けられている。  
なお、棚網２０と収納スペース２３について、段ごとに区別する場合には、最下段から最上段に向けて、それぞれ符号２０，２３に添え字ａ〜ｄを付して区別する。
【００１６】
蓄冷剤２５はコンテナ２６に収容された形態で、収納スペース２３に収納される。蓄冷剤２５は、ポリエチレン等の合成樹脂製のハードケース内にゲル化剤が充填された公知のものであって、全体としては平面長方形の厚板形状をなしている。  
コンテナ２６は、同じく合成樹脂製で上面開口の箱形に形成されており、図３に示すように、各収納スペース２３に対して奥行方向に２個並んでほぼすっぽりと収納し得る縦横の幅と、収納スペース２３の全高よりも少し低い高さ寸法とを有している。コンテナ２６の周壁には、それぞれの全面に亘り、例えば丸孔からなる多数の通孔２７が整列して開口されているとともに、前後の面には把手口２８が形成されている。
【００１７】
コンテナ２６内には、図４に示すように、複数（例えば１８個）の蓄冷剤２５が、左右２列に亘って若干の隙間を開けつつ並んで収容されるようになっている。このように蓄冷剤２５を収容したコンテナ２６が、棚網２０に載せられて、上記のように奥行方向に２個並んで収納スペース２３に収納されるようになっている。
【００１８】
一方、冷却器室１７内には、図２に示すように、その下部領域において冷却器３０が配設されている。冷却器３０は、冷却器室１７の奥行寸法よりも少し狭い横幅と、各収納スペース２３の高さよりも少し大きい縦幅とを持ったやや扁平な方形のブロック状をなしており、エンドプレートから背面側に延出された取付板３１を、冷却器室１７における右側面（ダクトパネル１５の裏面と対向した面）にねじ止めする等で取り付けられている。より詳細には、冷却器３０は、冷却器室１７の奥行方向のほぼ中央部に位置し、かつ同冷却器３０の中央高さ位置が、下から２段目の棚網２０ｂの少し上方に来る配置で設置されている。  
冷却器３０は、本体１０の上面に設けられた機械室３３内に格納された冷凍装置（図示せず）と冷媒配管３４により循環接続され、周知の冷凍サイクルが構成されている。
【００１９】
収納室１６と冷却器室１７とを仕切る上記したダクトパネル１５には、冷却器３０の正面と対応する位置において、同冷却器３０の正面全面よりも一回り小さい範囲に亘って吸込口３５が形成されている。同吸込口３５は詳細には、多数の縦向きのスリット３６を縦横に整列して開口することにより、正面ほぼ正方形をなすように形成されている。  
このダクトパネル１５における吸込口３５よりも所定寸法下方には、図５及び図７に示すように、収納室１６側に段差状に張り出した張出部１５ａが形成されている。張出部１５ａの上面の位置は、図２に示すように、最下段の収納スペース２３ａのほぼ１／４高さ位置に対応している。
【００２０】
ダクトパネル１５における吸込口３５よりも上方の領域には、庫内ファン４０が装着されている。庫内ファン４０はファンモータであって、表面側がカバー４１で覆われている。庫内ファン４０は４基備えられ、収納室１６の奥行方向に２基並び、かつ上下２段に亘って配されている。  
上段側の２基の庫内ファン４０ｕは、最上段の収納スペース２３ｄの略中央高さ位置に対応した位置に配されている。一方、下段側の２基の庫内ファン４０ｄは、上から２段目の棚網２０ｃと対応した位置に配されている。  
また、上下各段の２個の庫内ファン４０ｕ，４０ｄにおける収納室１６の奥行方向の位置は、図３に示すように、収納スペース２３に２個のコンテナ２６が収納された場合に、手前側と奥側の庫内ファン４０ｕ，４０ｄがそれぞれ、手前側と奥側のコンテナ２６における奥行方向のほぼ中央位置に対応するようになっている。
【００２１】
基本的な冷却運転は、冷凍装置と庫内ファン４０が駆動されることで行われ、図２の矢線に示すように、吸込口３５を通して吸引された庫内空気が冷却器３０を上方に向けて通過する間に熱交換により冷気が生成され、この冷気が庫内ファン４０ｕ，４０ｄから収納室１６に吹き出されるといった循環流が生じ、棚網２０上に収納された蓄冷剤２５が冷却（凍結）されるようになっている。本実施形態では、収納室１６内が「−４０℃」程度まで冷却される。
【００２２】
上記のように庫内温度を「−４０℃」程度といった極低温域まで下げるためには、冷却器３０は相応の低温状態に維持される必要があり、着霜が生じやすいと言える。そのため適宜に除霜運転が行われ、冷却器３０の下面と正面とに、シーズヒータからなる除霜ヒータ４２が装着されている。
【００２３】
一方、冷却器３０の下方には、冷却器３０からの除霜水を受けて庫外へ排出するためのドレンシュータ４５が配設されている。ドレンシュータ４５の配設位置はより詳細には、冷却器室１７内の底部側であるダクトパネル１５の張出部１５ａが設けられた拡幅部１７ａ内において、奥行並びに幅一杯に配されるようになっている。  
ドレンシュータ４５は、ステンレス鋼板等の金属板製であって、図６に示すように、手前側から奥側に向けて下り勾配となった底板４６の左右並びに奥縁に側板（側面板４７ａ，４７ｂと奥面板４７ｃ）を立ち上がり形成した形状となっている。
【００２４】
このドレンシュータ４５が、左右の側面板４７ａ，４７ｂと奥面板４７ｃを、冷却器室１７の拡幅部１７ａにおける左右の側壁と奥壁にそれぞれ当て、左右の側面板４７ａ，４７ｂをねじ４８で止めることによって固定されている。  
特筆すべきは、ドレンシュータ４５における正面から見た左側面板４７ａが、拡幅部１７ａの左側壁であるダクトパネル１５の張出部１５ａの裏面に密着して取り付けられていることであり、その際、左側面板４７ａが張出部１５ａの上面と干渉しないように、右側面板４７ｂよりも背が低く形成されている。  
ドレンシュータ４５の奥面板４７ｃの下端位置には、排水管４９が突出して設けられ、同排水管４９が、本体１０の背面壁１０ａの下端部に設けられた排水路５２に進入して接続されている。
【００２５】
なおドレンシュータ４５上には、冷却器３０から霜が塊となって落下する可能性があり、この霜の塊が排水管４９に詰まって凍結するおそれがある。そのため、ドレンシュータ４５の底板４６の下面（外面）には、コードヒータからなる補助ヒータ５０が装着され、霜の塊が落下した場合にこれを速やかに融かすようになっている。  
除霜ヒータ４２と補助ヒータ５０とは、共に除霜運転の開始時にオンされる一方、除霜ヒータ４２は除霜運転終了時にオフされ、補助ヒータ５０は除霜運転の終了後に設定される水切り時間（１０分程度）の経過後にオフされるようになっている。
【００２６】
また、当該凍結庫では、上記のように庫内が「−４０℃」程度といった極低温域にまで冷却され、庫内の一壁面を構成するダクトパネル１５も相応に低温となっているため、例えば冷却（凍結）運転中に断熱扉１３が開閉されて外気が導入されると、冷却器３０に着霜することに加えて、ダクトパネル１５における吸込口３５の形成領域１５ｂ付近の表面にも着霜しやすいという事情がある。  
そこで上記した除霜運転時には、冷却器３０に装備された除霜ヒータ４２の輻射熱等により、ダクトパネル１５における吸込口３５の形成領域１５ｂ付近の裏面側が加熱され、表面側の着霜が併せて融かされるようになっている。
【００２７】
この吸込口３５の形成領域１５ｂ付近の表面からの除霜水の排出経路は、以下のようである。上記したように、ダクトパネル１５における吸込口３５よりも所定寸法下方には、収納室１６側に段差状に張り出した張出部１５ａが形成されており、この張出部１５ａの上面が、吸込口３５の形成領域１５ｂ付近の表面からの除霜水を受ける受け面５５とされている。  
上記のように、ドレンシュータ４５の左側面板４７ａがダクトパネル１５の張出部１５ａの裏面に密着して固定されているのであるから、張出部１５ａの上面である受け面５５は、ダクトパネル１５の表面に繋がった基端側の大部分の面が、ドレンシュータ４５の内部の上方に臨んでいることになる。
【００２８】
受け面５５における基端側の隅部には、断面Ｌ字形をなす排水孔５７が、同受け面５５における収納室１６側から見た横幅方向のほぼ全幅に亘って形成されている。より詳細には、排水孔５７は、図３及び図５に示すように、小幅の仕切部５８で仕切られつつ、横幅方向に沿って、複数に分割されて形成されている。また、受け面５５における各仕切部５８から内側に入った位置ごとに、補助排水孔５９が開口されている。上記した排水孔５７と補助排水孔５９の全てが、ダクトパネル１５寄りの端部ではあるがドレンシュータ４５の内部の上方に臨んでいることになる。  
また上記したように、ドレンシュータ４５の左側面板４７ａが、受け面５５の直ぐ下の位置において張出部１５ａの裏面に密着されているから、ドレンシュータ４５の下面に配された補助ヒータ５０が発熱した場合、その熱が、ドレンシュータ４５の左側面板４７ａから張出部１５ａを介して受け面５５まで伝導されるようになっている。
【００２９】
続いて、本実施形態の凍結庫の使用例を説明する。蓄冷剤２５はほぼ一昼夜を掛けて凍結され、例えば当日の朝に、前日から収納されて凍結された蓄冷剤２５を取り出し、そののち別途保管されていた凍結前の蓄冷剤２５を収納し、次の日の朝に亘って完全凍結するようになっている。  
蓄冷剤２５を凍結するには、図４に示すようにコンテナ２６内に蓄冷剤２５を整列して収容したのち、コンテナ２６を棚網２０に載せつつ、奥行方向に２個並べて各段の収納スペース２３に収納する。
【００３０】
この状態で、冷凍装置並びに各庫内ファン４０が駆動されると、図２の矢線に示すように、収納室１６の庫内空気が、ダクトパネル１５の下部領域に設けられた吸込口３５を通って冷却器３０に向けて吸引され、同冷却器３０を上方に向けて通過する間に熱交換されて冷気が生成される。この冷気が、ダクトパネル１５の上部領域に上下２段に亘って設けられた庫内ファン４０ｕ，４０ｄから収納室１６に向けて吹き出されるといった循環流が生じ、冷気が通孔２７や上面開口からコンテナ２６内を流通しつつ収容された蓄冷剤２５が冷却され、ついには凍結されることになる。
【００３１】
ここで、ダクトパネル１５に配された４基の庫内ファン４０のうち、上側の２基の庫内ファン４０ｕは、最上段の収納スペース２３ｄに収納された前後２個のコンテナ２６の略中央部にそれぞれ正対した形態で配されているから、両コンテナ２６に向けて確実に冷気を吹き付けてその内部に流通させることができ、また、奥側のコンテナ２６と奥壁との間、手前側のコンテナ２６と断熱扉１３との間の隙間を通って、冷気がスムーズに収納室１６の反対側の端部（正面から見た左端部）側に流れる。
【００３２】
また、下側の２基の庫内ファン４０ｄは、吸込口３５の上方で同吸込口３５に最も近い上から２段目の棚網２０ｃと正対して配されていて、言い換えると、両庫内ファン４０ｄの下半分の吹出領域が、同棚網２０ｃと、その下の収納スペース２３ｂに収納されたコンテナ２６の上端との間の隙間と正対している。そのため、両庫内ファン４０ｄの下半分の吹出領域から吹き出された冷気は、上記した隙間を通り、吸込口３５に直ぐに吸い込まれるショートサイクルを生じることなく、収納室１６の反対側の端部まで吹き抜ける。
【００３３】
なお、下側の２基の庫内ファン４０ｄの上半分の吹出領域から吹き出された冷気は、その一部が上から２段目の収納スペース２３ｃに収納されたコンテナ２６の底部に当たって跳ね返るが、その下方には収納室１６の左端部まで吹き抜ける冷気の流れがあるから、跳ね返った冷気も、エゼクタ効果によって吹き抜ける流れに乗り、ショートサイクルを起こすことはない。下側の２基の庫内ファン４０ｄについても、前後に分かれて配されていることで、上から２段目の収納スペース２３ｃに収納された奥側のコンテナ２６の奥と、手前側のコンテナ２６の手前の隙間にスムーズに冷気を回すことができる。
【００３４】
このように、従来冷気が当たり難い等で冷却され難いとされていたところの、最上段の収納スペース２３ｄに収納されたコンテナ２６（蓄冷剤２５）や、吸込口３５に近い高さの上から２段目と３段目の収納スペース２３ｃ，２３ｂに収納されたコンテナ２６（蓄冷剤２５）に対しても冷気が当たりやすくなり、すなわち冷却能力を向上させることができ、収納室１６に収納された蓄冷剤２５が全域に亘ってむらなく冷却（凍結）される。
【００３５】
このような冷却（凍結）運転の間、冷却器３０や、ダクトパネル１５における吸込口３５の形成領域１５ｂ付近の表面に着霜する可能性が高く、そのため適宜に除霜運転が行われる。  
除霜運転は、冷凍装置と庫内ファン４０の駆動が停止された状態で、冷却器３０の下面と正面に装備された除霜ヒータ４２に通電され、併せてドレンシュータ４５の底板４６の外底面に装着された補助ヒータ５０に通電されることで行われる。
【００３６】
除霜ヒータ４２の発熱により冷却器３０が加熱されることで、同冷却器３０に付着した霜が融かされ、冷却器３０から滴下した除霜水はドレンシュータ４５で受けられたのち、下端の排水管４９から排水路５２を通って庫外に排水される。このときドレンシュータ４５上に霜の塊が落下する場合があるが、ドレンシュータ４５の底板４６が補助ヒータ５０で加熱されているために、落下した霜の塊も速やかに融かされ、排水管４９等に詰まることなく同様に庫外に排水される。
【００３７】
上記の除霜運転の際、主に冷却器３０の正面に配された除霜ヒータ４２の発熱を受けて、ダクトパネル１５における吸込口３５の形成領域１５ｂの裏面側が併せて加熱される。そのため、表面側に着霜があった場合にはこれが融かされ、図８の矢線に示すように、除霜水がダクトパネル１５の表面を伝って受け面５５に達したのち、同受け面５５の基端側の隅部に開口された排水孔５７を通ってドレンシュータ４５に滴下して受けられる。このとき、吸込口３５の形成領域１５ｂ付近の着霜量が多いと、例えば吸込口３５の前後両側から霜の塊が受け面５５上に落下する可能性がある。しかしながら、ドレンシュータ４５の左側面板４７ａがダクトパネル１５の張出部１５ａの裏面に接触していることから、補助ヒータ５０の熱が伝導して受け面５５が加熱され、同受け面５５に落下した霜の塊も速やかに融かされて排水孔５７に詰まることなくドレンシュータ４５内に滴下する。
【００３８】
なお、排水孔５７は仕切部５８で仕切られつつ分割して形成されているから、受け面５５に流下した除霜水の一部が仕切部５８上に残るおそれがあるが、受け面５５上における仕切部５８の内側に入った位置には補助排水孔５９が開口されているから、仕切部５８に残ろうとした除霜水も補助排水孔５９を通ってドレンシュータ４５に滴下する。
【００３９】
以上のように本実施形態においては、ダクトパネル１５における吸込口３５の形成領域１５ｂ付近の表面からの除霜水の排水構造として、吸込口３５の下方位置から収納室１６側に段差状に張り出した張出部１５ａを設けて同張出部１５ａの上面を除霜水の受け面５５とし、同受け面５５の基端側の隅部に開口した排水孔５７を、冷却器３０からの除霜水を受けるドレンシュータ４５の上方に臨ませる一方、ドレンシュータ４５の左側面板４７ａを、張出部１５ａの裏面に密着して固定し、ドレンシュータ４５の外底面に設けた補助ヒータ５０の発熱が受け面５５に伝導されるようになっている。  
そのため除霜時において、仮に受け面５５上に霜の塊が落下したとしても、受け面５５が加熱されていることから速やかに融かされ、排水孔５７に詰まることなくドレンシュータ４５内に滴下する。結果、受け面５５から霜の塊が零れて収納室１６の底面を汚したり、受け面５５上で氷塊が成長する等の事態が生じることが未然に防止される。
【００４０】
例えば、冷却器室１７内の中央高さ位置に冷却器３０が配されて、ダクトパネル１５における冷却器３０の正面に吸込口３５が形成されている一方、ダクトパネル１５における吸込口３５の形成領域１５ｂの下方領域に庫内ファン４０が設けられた場合において、冷却器３０からの除霜水を溜めて庫外へ排水するドレンシュータ４５を、その機能からして、冷却器室１７の底部側に設けることがある。その場合、ドレンシュータ４５に設けた補助ヒータ５０の熱の伝導性を考慮すると、受け面５５は、ドレンシュータ４５の直上、すなわち庫内ファン４０の配設領域の下方に形成する必要がある。このようにすると、ダクトパネル１５における吸込口３５の形成領域１５ｂから受け面５５までの間に庫内ファン４０の配設領域が介在されることになる。言い換えると、除霜時において、吸込口３５の形成領域１５ｂの表面の着霜が融かされると、除霜水が庫内ファン４０の配設領域の表面を伝って受け面５５に達することになるが、庫内ファン４０の配設領域も相応に距離があり、なおかつ冷却状態にあるため、除霜水が同領域を流下する間に氷結し、次第に成長するおそれがある。そのため、庫内ファン４０の配設領域の裏面側に、氷結防止用にさらに別のヒータを設ける必要が生じる。
【００４１】
それに対して本実施形態では、冷却器３０が冷却器室１７内の下部領域に配され、ダクトパネル１５における吸込口３５の下方位置に庫内ファン４０が配設されない構成となっている。そのため受け面５５は、吸込口３５の形成領域１５ｂの比較的近い下方位置に配されることになり、吸込口３５の形成領域１５ｂからの除霜水は、途中で氷結することなく受け面５５まで伝わることが可能となり、したがって氷結防止用のヒータを別途備えることが不要にできる。
【００４２】
また、例えば、排水孔５７のダクトパネル１５側の開口縁が、受け面５５における基端縁よりも内に入った位置に留まっていると、除霜水の一部が受け面５５の残った箇所に溜まり、氷結するおそれがある。  
それに対し本実施形態では、排水孔５７が受け面５５の基端側の隅部において、断面Ｌ字形に形成されており、言い換えると、排水孔５７のダクトパネル１５側の開口縁はダクトパネル１５の表面に達したのちさらに立ち上がった位置に形成されているから、ダクトパネル１５の表面を伝って流下した除霜水は受け面５５側に回り込むことなく、排水孔５７の開口縁からドレンシュータ４５に滴下し、除霜水が受け面５５上に溜まることを回避できる。
【００４３】
排水孔５７は仕切部５８で仕切られつつ分割して形成されているから、受け面５５に流下した除霜水の一部が仕切部５８上に残るおそれがあるが、受け面５５上における仕切部５８の内側に入った位置には補助排水孔５９が開口されているから、仕切部５８に残ろうとした除霜水も補助排水孔５９を通ってドレンシュータ４５に滴下し、同じく受け面５５上に溜まることを回避できる。
【００４４】
＜実施形態２＞
図９は、本発明の実施形態２を示す。この実施形態では、受け面５５の基端側に開口した排水孔５７ａの形状に変更が加えられている。排水孔５７ａのダクトパネル１５側の開口縁は、ダクトパネル１５の表面に達するまでに留まっている。  
この実施形態でも、ダクトパネル１５の表面を伝って流下した除霜水は受け面５５側に回り込むことなく、排水孔５７ａの開口縁すなわちダクトパネル１５の下縁からドレンシュータ４５に滴下し、除霜水が受け面５５上に溜まることが回避される。
【００４５】
＜他の実施形態＞
本発明は上記記述及び図面によって説明した実施形態に限定されるものではなく、例えば次のような実施形態も本発明の技術的範囲に含まれる。  
（１）ダクトパネルの表面からの除霜水を受ける受け面に形成される排水孔について、受け面に残る除霜水が無視できる程度であれば、そのダクトパネル側の開口縁が、ダクトパネルの表面よりも手前側に入った位置に留まった形態で形成されていてもよく、そのようなものも本発明の技術的範囲に含まれる。  
（２）ダクトパネルの表面からの除霜水を受ける受け面は、基端側に向けて下り勾配となった傾斜面状にすると、除霜水が収納室側に向けて零れることをより確実に防止できる。
【００４６】
（３）本発明は、冷却器が冷却器室内の下部領域以外に、例えば中央高さ領域に設置されて、そのすぐ下方にドレンシュータを配した構造のものにも、同様に適用することが可能である。  
（４）本発明は、上記実施形態に例示した蓄冷剤凍結庫に限らず、加熱調理した食品等を急速に凍結する急速凍結庫等、要は庫内が極めて低い温度域に冷却されて、ダクトパネルの表面に着霜が生じやすいという事情を抱えた冷却庫全般に広く適用することができる。
【符号の説明】
【００４７】
１０…凍結庫本体（冷却庫本体）  １５…ダクトパネル  １５ａ…張出部  １５ｂ…（吸込口３５の）形成領域  １６…収納室  １７…冷却器室  ２５…蓄冷剤（被冷却物）  ２６…コンテナ  ３０…冷却器  ３５…吸込口  ４０…庫内ファン  ４５…ドレンシュータ  ４６…底板  ４７ａ…左側面板  ４８…ねじ  ５０…補助ヒータ（ヒータ）  ５５…受け面  ５７，５７ａ…排水孔  ５８…仕切部  ５９…補助排水孔
【図１】
0005511590.tif 000002
【図２】
0005511590.tif 000003
【図３】
0005511590.tif 000004
【図４】
0005511590.tif 000005
【図５】
0005511590.tif 000006
【図６】
0005511590.tif 000007
【図７】
0005511590.tif 000008
【図８】
0005511590.tif 000009
【図９】
0005511590.tif 000010